(57)【要約】【課題】  テープカートリッジが装着された状態でコンタクト部材とテープカートリッジの背面の端子とが電気的に接続される構成において、異物がコンタクト部材と端子との間に巻き込まれる問題を解決することを目的とする。【解決手段】  テープカートリッジ装着機構５０は、テープカートリッジ１０を最初に背面側を降下させ続いて前面側を降下させて所定位置に装着させる。コネクタ作動機構２００は、コネクタ１００を起こし、最後に少し倒すように動作させる。テープカートリッジ１０のも背面側が降下する動作によって、コンタクト部材１１０の凸部１１４がテープカートリッジ１０の背面側の端子１２を相対的に擦ってクリーニングする。コネクタ１００の最後の少し倒れる動作によって、コンタクト部材１１０の凸部１１４がクリーニング済みの部位に戻る。【選択図】  図１
2006338745.tif 000002
【特許請求の範囲】
【請求項１】
背面に端子を有する記録媒体カートリッジを降下させて所定位置に装着する記録媒体カートリッジ装着機構を有し、
凸部を有するコンタクト部材を備えたコネクタが、装着された記録媒体カートリッジの背面に対向するように設けてあり、
前記記録媒体カートリッジが装着される過程で、前記コンタクト部材の前記凸部が前記記録媒体カートリッジの前記端子を相対的に擦りつつ移動して電気的接続位置に到る構成の記録再生装置において、
前記コンタクト部材の前記凸部が前記記録媒体カートリッジの前記端子を相対的に擦りつつ移動しきった後に、前記凸部がそれまでの移動の方向とは逆の方向に少し戻るように、前記コネクタを動作させる機構を備えてなり、
前記電気的接続位置が、前記記録媒体カートリッジの前記端子のうち前記凸部によって既に擦られた部分であるようにしたことを特徴とする記録再生装置。
【請求項２】
背面に端子を有する記録媒体カートリッジを、最初に背面側を降下させ、背面が斜め下を向いた姿勢とし、次いで、前面側を降下させて、所定位置に装着させる記録媒体カートリッジ装着機構を有し、
凸部を有するコンタクト部材を備えており、傾動可能に設けてあり、最初は前記凸部が斜め上を向くように傾斜しているコネクタを有し、
且つ、前記記録媒体カートリッジ装着機構の動作に関連して動作し前記コネクタを起き上がらせるコネクタ作動機構を有し、
前記記録媒体カートリッジが装着される過程で、前記コンタクト部材の前記凸部が前記記録媒体カートリッジの前記端子を相対的に擦りつつ移動して電気的接続位置に到る構成の記録再生装置において、
前記コネクタ作動機構は、装着された記録媒体カートリッジに対して、前記コネクタを、前記コンタクト部材の前記凸部がそれまでの移動の方向とは逆の方向に少し戻るように動作させる戻し機構部を有する構成とし、
前記電気的接続位置が、前記記録媒体カートリッジの前記端子のうち既に擦られた部分であるようにしたことを特徴とする記録再生装置。
【請求項３】
請求項２に記載の記録再生装置において、
前記記録媒体カートリッジ装着機構は、スライドするスライド板を有する構成であり、
前記コネクタ作動機構は、前記スライド板のカム部によって動作される構成であり、
前記戻し機構部は、前記スライド板の前記カム部の一部に形成された所定形状のカム部分よりなる構成であることを特徴とする記録再生装置。
【請求項４】
請求項１又は請求項２に記載の記録再生装置において、
前記コンタクト部材は、断面が円形のワイヤを加工したものであり、捩じりコイル部と、該捩じりコイル部から延びている腕部とを有する構成であり、
前記凸部は、前記腕部を折り曲げて形成してあり、その表面は球面に近い形状であることを特徴とする記録再生装置。
【発明の詳細な説明】
【技術分野】
【０００１】
本発明は記録再生装置に係り、特に、内部にフラッシュメモリＩＣを備えたテープカートリッジが使用される記録再生装置に関する。
【背景技術】
【０００２】
図３は内部にフラッシュメモリＩＣ１５（図６参照）を備えたテープカートリッジ１０を示す。フラッシュメモリＩＣをテープカートリッジに関する情報の記憶に使用している。このテープカートリッジ１０はその背面１１に縦に長い細幅の板状の端子１２が複数並んで設けてある。この端子１２は内部のフラッシュメモリＩＣと接続してある。１３は回動蓋であり、テープカートリッジ１０の前面側に設けてある。
【０００３】
このテープカートリッジが使用される記録再生装置は、テープカートリッジが装着される位置にコネクタを備えており、テープカートリッジが装着された状態で、テープカートリッジの端子とコネクタとが接続されて、記録再生装置の制御部とフラッシュメモリＩＣとが電気的に接続され、端子とコネクタとを通して、制御部とフラッシュメモリＩＣとの間で、信号の通信がなされるようになっている。
【０００４】
従来の記録再生装置における、コネクタの凸部のテープカートリッジの端子に対する相対的な動きは、テープカートリッジが下動して装着位置に到るときに、図１６（Ａ），（Ｂ）に示すように、コネクタのコンタクト部材２０の凸部２１が最初に端子１２の下端の位置Ｐ１に接触し、相対的にＺ１方向に移動し、Ｚ１方向に移動しきった位置Ｐ２が電気的接続位置となる動きである。
【０００５】
凸部２１は端子１２の表面を相対的に擦って端子１２の表面をクリーニングをする。電気的接続位置Ｐ２はクリーニングされた部分の端の位置である。
【０００６】
端子１２の表面に埃等が付着している場合には、凸部２１は端子１２の表面に付着している埃等を押し退けつつ、即ち、端子１２の表面をクリーニングしつつ移動する。図１６（Ｂ）中、符号３０は凸部２１によって押し退けられた埃である。
【特許文献１】特開平１１−３１２３４８号公報
【発明の開示】
【発明が解決しようとする課題】
【０００７】
凸部２１が端子１２と接触している電気的接続位置Ｐ２は、凸部２１が端子１２上を相対的にＺ１方向に移動しきった位置であるため、凸部２１がその移動中に埃を巻き込んだ場合には、凸部２１と端子１２の表面との間に絶縁体である埃が介在することになって、接触不良を起こしてしまう危険がある。この場合には、制御部とフラッシュメモリＩＣとの間で信号の通信が正常に行われなくなってしまう。
【０００８】
そこで、本発明は、上記課題を解決した記録再生装置を提供することを目的とする。
【課題を解決するための手段】
【０００９】
そこで、上記課題を解決するため、本発明は、背面に端子を有する記録媒体カートリッジを、最初に背面側を降下させ、背面が斜め下を向いた姿勢とし、次いで、前面側を降下させて、所定位置に装着させる記録媒体カートリッジ装着機構（５０）を有し、
凸部（１１４）を有するコンタクト部材（１１０）を備えており、傾動可能に設けてあり、最初は前記凸部が斜め上を向くように傾斜しているコネクタ（１００）を有し、
且つ、前記記録媒体カートリッジ装着機構の動作に関連して動作し前記コネクタを起き上がらせるコネクタ作動機構（２００）とを有し、
前記記録媒体カートリッジが装着される過程で、前記コンタクト部材の前記凸部が前記記録媒体カートリッジの前記端子を相対的に擦りつつ移動して電気的接続位置に到る構成の記録再生装置において、
前記コネクタ作動機構は、装着された記録媒体カートリッジに対して、前記コネクタを、前記コンタクト部材の前記凸部がそれまでの移動の方向とは逆の方向に少し戻るように動作させる戻し機構部を有する構成とし、
前記電気的接続位置（Ｐ１４）が、前記記録媒体カートリッジの前記端子のうち既に擦られた部分であるようにしたことを特徴とする。
【発明の効果】
【００１０】
本発明によれば、コンタクト部材の凸部が、記録媒体カートリッジの端子上を一方向に擦りつつ移動しきった後に、少し戻される構成であるため、接触位置が、前記記録媒体カートリッジの端子のうち既に擦られた部分であり、しかも、凸部の先端に巻き込まれた埃等も解放される。よって、コネクタと記録媒体カートリッジの端子との電気的接続の信頼性を向上させることが可能である。
【発明を実施するための最良の形態】
【００１１】
次に本発明の実施の形態について説明する。
【実施例１】
【００１２】
図２は本発明の実施例１になるテープカートリッジ記録再生装置４０を示す。Ｘ１−Ｘ２は幅方向、Ｙ１−Ｙ２は奥行き方向、Ｚ１−Ｚ２は高さ方向である。Ｙ１は図３に示すテープカートリッジ１０を挿入する方向である。
【００１３】
テープカートリッジ記録再生装置４０は、箱形状であり、回転ドラム４１及びテープローディングポール４２、４３を有し、且つ、テープカートリッジ装着機構５０を有し、Ｙ２側にテープカートリッジ挿入口４５を有する構成である。
【００１４】
［テープカートリッジの装着及び記録再生］
先ず、テープカートリッジの装着について説明する。
【００１５】
図４はテープカートリッジ記録再生装置４０よりテープカートリッジ装着機構５０を取り出して示す。図５はテープカートリッジ装着機構５０を分解して示す。
【００１６】
テープカートリッジ装着機構５０は、両側の側板５１，５２と、両側のスライド板６１，６２と、テープカートリッジホルダ８０と、モータ９０と、ギヤ９１，９２等を有する構成である。このテープカートリッジ装着機構５０は、Ｙ１−Ｙ２方向に延在する中心線に関して対称である構成であるため、以後はＸ２側の構成について説明し、Ｘ１側の構成の説明は省略する。
【００１７】
側板５１は、斜めのガイド長孔５３，５４及びピン５５，５６を有する。スライド板６１は、略逆Ｌ字形状のガイド長孔６３，６４及び直線状のガイド長孔６５，６６及びラック６７を有する。スライド板６１は、ガイド長孔６５，６６をピン５５，５６に嵌合させて、側板５１の内面側に、摺動可能に設けてある。最初の状態では、スライド板６１は、図４及び図５に示すように、Ｙ２方向にスライドした位置にある。テープカートリッジホルダ８０は、ピン８１がガイド長孔６３を貫通してガイド長孔５３に嵌合し、別のピン８２がガイド長孔６４を貫通してガイド長孔５４に嵌合して、図４及び図５に示すように、水平の姿勢で支持されている。また、ギヤ９１，９２がラック６７に噛み合っている。
【００１８】
操作者がテープカートリッジ１０を挿入口４５を通してテープカートリッジホルダ８０内に図６に示す状態にまで挿入すると、モータ９０が始動され、ギヤ９１，９２を介してラック６７が駆動され、両側のスライド板６１、６２が一体的にＹ１方向にスライドを開始する。スライド板６１、６２のスライドに伴って、ピン８１がガイド長孔６３の内面によって押されてガイド長孔５３に沿って動かされ、ピン８２がガイド長孔６４の内面によって押されてガイド長孔５４に沿って移動され、テープカートリッジホルダ８０がＹ１方向に移動され、テープカートリッジ１０が記録再生装置４０内に引き込まれる。
【００１９】
テープカートリッジ１０が記録再生装置４０内に引き込まれると、ピン８１、８２が夫々ガイド長孔５３、５４によって図７に示すように案内され、テープカートリッジホルダ８０は、Ｙ１側がＺ１方向に、Ｙ２側がＺ２方向に移動されて傾斜した状態とされ、テープカートリッジ１０も同様に背面１１側が下がった斜めの状態となる。
【００２０】
スライド板６１、６２が更にＹ１方向に最終位置までスライドすると、図８に示すように、ピン８１、８２は夫々ガイド長孔５３、５４の斜めの部分の端にまで到り、テープカートリッジホルダ８０はＺ１方向に移動されて水平の姿勢とされる。テープカートリッジ１０はＺ１方向に移動されて水平の姿勢とされ、図８に示すように所定の位置に装着される。
【００２１】
続いて、図２に示すテープローディングポール４２、４３が移動して、装着されたテープカートリッジ１０から磁気テープを引き出して回転ドラム４１の周囲に巻き付けて所定のテープパスにローディングし、磁気テープを走行させて、記録再生動作が行われる。
【００２２】
［コネクタ１００］
次にコネクタ１００について説明する。図９はコネクタ１００を示す。コネクタ１００は、略Ｌ字形状の合成樹脂製のハウジング１０１に、コンタクト部材１１０が複数並んで込み込んである構成である。
【００２３】
ハウジング１０１は、電気絶縁性の合成樹脂製であり、略Ｌ字形状であり、Ｙ１方向に延びている腕部１０２，１０３を有し、且つ、背面からＹ２方向に突き出ている腕部１０４を有する。
【００２４】
コンタクト部材１１０は、断面Ｓが円形であるワイヤを加工したものであり、捩じりコイルばねの形状であり、捩じりコイル部１１１と、捩じりコイル部１１１の一端から延びておりＬ字形状に曲げてある腕部１１２と、捩じりコイル部１１１の他端から延びている腕部１１３とを有する。腕部１１３は適宜曲げてあり、途中に、Ｙ１方向に突き出ている凸部１１４を有する。
【００２５】
このコンタクト部材１１０は、捩じりコイル部１１１をハウジング１０１に挿入固定してある電気絶縁性のロッド部材１０５によって支持され、腕部１１２をハウジング１０１の一部に係止され、腕部１１３の先端をハウジング１０１の一部に係止され、凸部１１４がＹ１方向に突き出し、腕部１１３がばね性を有する状態で、ハウジング１０１に組み込んである。
【００２６】
このコネクタ１００は、図２に示すように、記録再生装置４０内のうち、装着されたテープカートリッジ１０の背面１１の端子１２に対面する部位に設けてある。コネクタ１００は、腕部１０２，１０３の先端の穴を、記録再生装置４０のシャーシ４６の二つのブラケット４７の間に横架してあるロッド４８によって傾動可能に支持されている。また、ロッド４８に設けてある捩じりコイルばね４９によって図１０中、時計方向に回動付勢されている。
【００２７】
ここで、凸部１１４の表面１１４ａの形状について説明する。コンタクト部材１１０の素材が断面が円形であるワイヤであることによって、Ｘ１−Ｘ２方向には符号１１４Ｘで示すように丸い曲面であり、更に、Ｙ１方向に突き出るようにＶ字形状に曲げてあることによって、Ｚ１−Ｚ２方向にも符号１１４Ｚで示すように丸い曲面となり、凸部１１４の表面１１４ａの形状は、球面に近い形状である。
【００２８】
また、各コンタクト部材１１０に腕部１１２にはフレキシブルケーブル（図示せず）の端が接続してあり、各コンタクト部材１１０は、記録再生装置４０の制御部（図示せず）と接続されている。
【００２９】
［コネクタ１００を動かすコネクタ作動機構１２０］
次にコネクタ１００を動かすコネクタ作動機構１２０について説明する。図１０（Ａ）に示すように、コネクタ作動機構１２０は、スライド板６１のうちＹ２方向端側のカム部６８と、側板５１の内側面の回動レバー１２１とよりなる構成である。
【００３０】
カム部６８は、第１の水平部６８ａと、傾斜部６８ｂと、第２の水平部６８ｃと、突き出し部６８ｄとを有する。突き出し部６８ｄは、逆向きの三角形状であり、傾斜部６８ｂのＹ２側の端と第２の水平部６８ｃのＹ１端との間の部位にあって、Ｚ２方向に突き出ており、戻し機構部を構成する。
【００３１】
図５に示すように、回動レバー１２１には、ピン１２２、ガイドピン１２３、カムフォロワピン１２４及び駆動ピン１２５が植わっている。回動レバー１２１は、ピン１２２を側板５１の孔５７に支持されて、ピン１２２を中心に回動可能である。回動レバー１２１はガイドピン１２３を側板５１のガイド長孔５８に案内されつつ回動される。回動レバー１２１のＹ１端のカムフォロワピン１２４がカム部６８に当接し、回動レバー１２１のＹ２端の駆動ピン１２５が前記の腕部１０４の下面側に位置している。
【００３２】
［コネクタ１００の動作］
コネクタ１００は、テープカートリッジ装着動作の進行と関連して、図１０、図１１、図１２、図１３、図１に示す順番で動作する。
【００３３】
テープカートリッジ装着前及びテープカートリッジ装着の途中までは、コネクタ１００は、図６に示すように、時計方向に回動されて傾斜され、凸部１１４は斜め上を向いている。
【００３４】
スライド板６１がＹ１方向にスライドしてテープカートリッジ装着動作が最終段階に到ると、図１０（Ａ）、（Ｂ）に示すように、第１の水平部６８ａの端付近がカムフォロワピン１２４に接する状態となる。コネクタ１００は図１０（Ｃ）に示すように依然として最初の傾斜した状態にある。
【００３５】
スライド板６１がＹ１方向に更にスライドすると、図１１（Ａ）、（Ｂ）に示すように、傾斜部６８ｂがカムフォロワピン１２４を押して、回動レバー１２１が反時計方向に回動され、コネクタ１００は図１１（Ｃ）に示すように駆動ピン１２５によって腕部１０４を押し上げられて前記ロッド４８に関して反時計方向に、即ち、立ち上がる方向に回動される。
【００３６】
スライド板６１がＹ１方向に更にスライドすると、図１２（Ａ）、（Ｂ）、（Ｃ）に示すようになり、コネクタ１００は更に立ち上がる方向に回動される。
【００３７】
スライド板６１がＹ１方向に更にスライドすると、図１３（Ａ）、（Ｂ）に示すように、突き出し部６８ｄがカムフォロワピン１２４を案内して押している状態となり、回動レバー１２１は最大に反時計方向に回動され、コネクタ１００は図１３（Ｃ）に示すように垂直の状態となる。
【００３８】
このスライド板６１が更にスライドして最終位置に到ると、図１（Ａ）、（Ｂ）に示すように、第２の水平部６８ｃがカムフォロワピン１２４を案内した状態となる。カムフォロワピン１２４は相対的に突き出し部６８ｄを乗り越えて第２の水平部６８ｃに係止された状態となる。カムフォロワピン１２４のこの動きによって、回動レバー１２１が若干時計方向に回動され、コネクタ１００はそれまでとは逆の方向、即ち、時計方向であって傾斜する方向に若干回動される。
【００３９】
［端子１２上の凸部１１４の接触位置の移動］
上記のテープカートリッジ１０の装着動作とコネクタ１００の動作とが同時に行われ、これによって、端子１２上の凸部１１４の接触位置が移動する。
図１５（Ａ）乃至（Ｊ）はテープカートリッジ１０の装着動作及びコネクタ１００の動作に伴なう凸部１１４と端子１２との接触位置が移動する様子を示す。
【００４０】
図１５（Ａ）、（Ｂ）は図１０に示すときの状態、図１５（Ｃ）、（Ｄ）は図１１に示すときの状態、図１５（Ｅ）、（Ｆ）は図１２に示すときの状態、図１５（Ｇ）、（Ｈ）は図１３に示すときの状態、図１５（Ｉ）、（Ｊ）は図１に示すときの状態を夫々示す。
【００４１】
テープカートリッジ装着動作が進行し、テープカートリッジ１０が記録再生装置４０内に引き込まれその背面１１側が下がった斜めの状態となると、図１０（Ａ）、（Ｃ）及び図１５（Ａ）、（Ｂ）に示すように、端子１２のうち下端の部位が凸部１１４に接触する。端子１２と凸部１１４とが接触している端子１２上の接触点はＰ１０である。以下、接触点は端子１２を基準にして表す。
【００４２】
続いて、図１１（Ａ）に示すように、テープカートリッジ１０の背面１１側がＺ２方向に下降し、コネクタ１００は図１１（Ｃ）に示すように立ち上がる方向に回動されて、腕部１１３が撓まされて、凸部１１４が端子１２に押し付けられる。この動作によって、図１５（Ｃ）、（Ｄ）に示すように、凸部１１４は、端子１２に押し付けられつつ、相対的に端子１２の表面をＺ１方向に擦りつつ移動し、接触点はＰ１１に到る。凸部１１４は端子１２の表面の埃を除去しつつ、即ち、端子１２の表面をクリーニングしつつ移動する。以後も同様である。
【００４３】
続いて、図１２（Ａ）に示すように、テープカートリッジ１０は、背面１１側がＺ２方向に下降し、前面側も下がり始め、コネクタ１００は図１２（Ｃ）に示すように更に立ち上がる方向に回動されて、凸部１１４が端子１２に押し付けられる。この動作によって、図１５（Ｅ）、（Ｆ）に示すように、凸部１１４は、端子１２に押し付けられつつ、相対的に端子１２の表面をＺ１方向に擦りつつ移動し、接触点はＰ１２に到る。
【００４４】
続いて、図１３（Ａ）に示すように、テープカートリッジ１０は、背面１１側がＺ２方向に下降して最終位置に到り、前面側も最終位置まで下がって、水平となって所定の位置に装着される。コネクタ１００は図１２（Ｃ）に示すように更に立ち上がる方向に回動されて、凸部１１４が端子１２に更に押し付けられる。この動作によって、図１５（Ｇ）、（Ｈ）に示すように、凸部１１４は、端子１２に押し付けられつつ、相対的に端子１２の表面をＺ１方向に擦りつつ更に移動し、接触点はＰ１３に到る。
【００４５】
最後に、図１（Ａ）、（Ｃ）に示すように、テープカートリッジ１０は動かないで、コネクタ１００は図１４に拡大して概略的に示すように、それまでとは逆に傾斜する方向に若干の角度Δθ回動される。この動作によって、同じく図１４に示すように凸部１１４が端子１２の表面への接触点がΔＺだけＺ２方向に移動する。図１５（Ｉ）、（Ｊ）に示すように、凸部１１４は、端子１２に押し付けつつ、少しの距離ΔＺだけＺ２方向に移動し、最終位置Ｐ１４に到る。この位置Ｐ１４がコンタクト部材１１０と端子１２とが電気的に接続された電気的接続位置である。
【００４６】
ここで、図１５（Ｉ）に示すように、端子１２の下端から接触点はＰ１３までの部分が、凸部１１４によって擦られた部分、即ち、クリーニングされた部分２００である。
【００４７】
また、凸部１１４はＺ１方向に最大に移動した部位Ｐ１３からΔＺだけＺ２方向に戻っているため、Ｚ１方向に移動する過程において押し退けた埃３０は、図１５（Ｊ）に示すようにＺ１方向に最大に移動した部位に残され、凸部１１４は既にクリーニングされた部分２００に接触する。Ｚ１方向に移動する過程において凸部１１４と端子１２との間に埃を巻き込んだ場合であっても、ΔＺだけＺ２方向に戻る過程で埃は凸部１１４と端子１２との間から除かれ、凸部１１４は端子１２の表面と正常に接触する。
【００４８】
このように、埃の巻き込みの問題が解消され、従来に比較して、コネクタ１００と端子１２との電気的接続の信頼性が向上し、制御部とフラッシュメモリＩＣとの間で信号の通信の信頼性は高いものとなる。
【００４９】
また、凸部１１４の表面の形状が球面に近い形状であるため、凸部１１４の端子１２への接触は点接触となり、板状のばねの場合に起こり得る端子１２に対する接触が片当りとなる問題は起きない。このことによって、コネクタ１００と端子１２との電気的接続の信頼性は更に高いものとなる。
【００５０】
記録再生後にテープカートリッジ１０を記録再生装置４０の外に離脱させる動作は、スライド板６１、６２がＹ２方向にスライドされ、テープカートリッジ１０及びコネクタ１００が夫々上記とは逆に動作することによって行われる。
【図面の簡単な説明】
【００５１】
【図１】本発明の実施例１になるテープカートリッジ記録再生装置のコネクタ作動機構の動作を完了したときの状態を示す図である。
【図２】本発明の実施例１になるテープカートリッジ記録再生装置の斜視図である。
【図３】図２の記録再生装置に使用されるテープカートリッジの斜視図である。
【図４】図２の記録再生装置よりテープカートリッジ装着機構を取り出して示す斜視図である。
【図５】テープカートリッジ装着機構及びコネクタ作動機構を分解して示す斜視図である。
【図６】テープカートリッジ装着動作が開始されたときの状態を示す図である
【図７】テープカートリッジ装着動作の途中の状態を示す図である
【図８】テープカートリッジ装着動作が完了した状態を示す図である
【図９】コネクタを示す斜視図である。
【図１０】コネクタ作動機構及びコネクタの最初の状態を示す図である。
【図１１】コネクタ作動機構が動作を開始したときの状態を示す図である。
【図１２】コネクタ作動機構の動作途中の状態を示す図である。
【図１３】コネクタ作動機構の動作が最終段階に到ったときの状態を示す図である。
【図１４】コネクタ作動機構の動作が最終段階から完了状態に到るときにおけるコンタクト部材の凸部の端子の表面へ接触している点の移動を説明する図である。
【図１５】テープカートリッジ装着動作時におけるコンタクト部材の凸部が端子の表面を移動する様子を示す図である。
【図１６】従来のテープカートリッジ記録再生装置におけるテープカートリッジ装着動作時の凸部が端子の表面を移動する様子を示す図である。
【符号の説明】
【００５２】
１０  テープカートリッジ
１２  端子
４０  テープカートリッジ記録再生装置
４１  回転ドラム
５０  テープカートリッジ装着機構
６１  スライド板
６８  カム部
６８ａ  第１の水平部
６８ｂ  傾斜部
６８ｃ  第２の水平部
６８ｄ  突き出し部
１００  コネクタ
１０１  ハウジング
１１０  コンタクト部材
１１１  捩じりコイル部
１１４  凸部
１２０  コネクタ作動機構
１２１  回動レバー
【図１】
2006338745.tif 000003
【図２】
2006338745.tif 000004
【図３】
2006338745.tif 000005
【図４】
2006338745.tif 000006
【図５】
2006338745.tif 000007
【図６】
2006338745.tif 000008
【図７】
2006338745.tif 000009
【図８】
2006338745.tif 000010
【図９】
2006338745.tif 000011
【図１０】
2006338745.tif 000012
【図１１】
2006338745.tif 000013
【図１２】
2006338745.tif 000014
【図１３】
2006338745.tif 000015
【図１４】
2006338745.tif 000016
【図１５】
2006338745.tif 000017
【図１６】
2006338745.tif 000018